(57)【要約】【課題】屋内有線放送受信機をＴＶ用のリモコンを用いて操作できる装置を提供する。【解決手段】ラジオ放送を受信するための屋内有線放送受信機と、該受信機外面に装備される該受信機操作のための操作スイッチと、別に用意したＴＶ受像機用リモコンから発した信号を受信するためのリモコン信号受信器と、このリモコン信号受信器からの信号を処理するための信号処理部と、ＴＶ受像機用リモコン送信器の形式をあらかじめ設定しておくためのリモコン形式設定スイッチと、ＴＶ受像機用リモコンにおける屋内有線放送受信機用の電源入り切り操作ボタンを、ＴＶ用に使われていない操作ボタンに前記信号処理部にて設定し、以上の各部を各々備えたことを特徴とする。【選択図】図２
2019161627.tif 000002
【特許請求の範囲】
【請求項１】
ＴＶ受像機用リモコン送信器を用いて屋内有線放送受信機を遠隔操作する方法において、屋内有線放送受信機側に、該リモコン送信器から送出される信号を受信するリモコン信号受信手段と、該リモコン信号受信手段から送出される信号を受信して、その受信した信号を処理するための信号処理手段と、該信号処理手段より送出される信号を受信して音声を発するための屋内有線放送受信機と、該受信機に備えられる受信機操作のための操作スイッチを有することを特徴とする、ＴＶ受像機用リモコン送信器を用いて屋内有線放送受信機を遠隔操作する方法。
【請求項２】
ＴＶ受像機用リモコン送信器の製作メーカーによる差異に対処するために、ＴＶ受像機用リモコン送信器と屋内有線放送受信機とのマッチングを行うためのリモコン形式設定手段を、屋内有線放送受信機側に設けてなる請求項１記載のＴＶ受像機用リモコン送信器を用いて屋内有線放送受信機を遠隔操作する方法。
【請求項３】
ＴＶ受像機用リモコン送信器を用いた屋内有線放送受信機の電源入り切り操作において、ＴＶ受像機の電源入り切りを防ぐために、ＴＶ受像機用リモコン送信器における屋内有線放送受信機用の電源入り切り操作ボタンを、ＴＶ受像機の操作に使われていないボタンを割り当て設定してなる請求項１または２記載のＴＶ受像機用リモコン送信器を用いて屋内有線放送受信機を遠隔操作する方法。
【発明の詳細な説明】
【技術分野】
【０００１】  この発明は、屋内有線放送受信機の遠隔操作に、ＴＶ受像機用リモコン送信器を利用した屋内有線放送受信機の遠隔操作方法・技術に関する。
【背景技術】
【０００２】  従来より、ＴＶはリモコン操作にて利用されているが、屋内有線放送受信機をＴＶ受像機用のリモコン送信器を使って遠隔操作するものは見当たらない。
【発明の概要】
【発明が解決しようとする課題】
【０００３】  リモコン送信器はＴＶやビデオ機器などに多用されている。一方、屋内有線放送受信機の操作は、前面パネルに配置されたスイッチの操作にて電源の入り切り、放送チャンネルの選択、音量の調整等を行わなければならず、この屋内放送受信機を手の届く位置に置いておく必要がある。また体の不自由な人、寝たきりの人、入院患者で各チューブ等が体につながれている人などにとっては、上記操作が負担となるが、これに対処できる有用な手段が見当たらないのが現状である。
本発明は、以上に鑑み、ＴＶ用のリモコン送信器を用いて上記屋内有線放送受信機の各操作を行うことのできる、新規かつ有用なる手段を提供することを目的として発明されたものである。
【課題を解決するための手段】
【０００４】  課題を解決する手段として本発明は以下の構成とした。
すなわち、ＴＶ受像機用リモコン送信器を用いて屋内有線放送受信機を遠隔操作する方法において、該リモコン送信器から送出される信号を受信するリモコン信号受信手段と、該リモコン信号受信手段から送出される信号を受信して、その受信した信号を処理するための信号処理手段と、該信号処理手段より送出される信号を受信して音声を発するための屋内有線放送受信機と、該受信機に備えられる受信器操作のための操作スイッチを有する。
本発明は以上の構成よりなるＴＶ受像機用リモコン送信器を用いて屋内有線放送受信機を遠隔操作する方法である。
【発明の効果】
【０００５】  本発明によれば、屋内有線放送受信機の操作を、前面に配置された操作パネルの各スイッチを操作することなく、離れた場所から遠隔で操作することができ、既述のような人々でも容易に操作することができる。また、遠隔操作に使用するリモコン送信器は常用されているＴＶ受像機用のリモコン送信器を使用することにて、専用のリモコン送信器を必要としない。
【図面の簡単な説明】
【０００６】
【図１】本発明の機能構成説明図
【図２】本発明の屋内有線放送受信機内部構成ブロックを示す説明図
【図３】本発明の他の実施形態を示す動作ブロック構成図
【発明を実施するための最良の形態】
【０００７】  以下、本発明の実施形態について説明する。
この発明の実施形態を図１に示す。図において１は屋内有線放送受信機で、前面に配置されている操作スイッチ３により、電源の入り切り操作、放送チャンネルの選定操作、音量の調整操作等を行うことができる。５はイヤホーンで、屋内有線放送受信機の音声出力を、離れた場所でも聞けるような長さのコード長になっている。４は遠隔で屋内有線放送受信機を操作するためのＴＶ受像機用リモコン送信器で、ボタンスイッチを操作することにて、電源の入り切り操作、放送チャンネルの選定操作、音量の調整操作等を行うことができる。２は屋内有線放送受信機を遠隔操作するために、ＴＶ受像機操作用リモコンの型式に合わせて、あらかじめ設定しておく場合に使用するリモコン形式設定スイッチである。【０００８】  図２は本発明の動作を示すブロック図で、１は屋内有線放送受信機、３は該有線放送受信機を操作する操作スイッチで、このスイッチ操作により、電源の入り切り、放送チャンネルの選択、音量の調整等の操作を行うものである。４はＴＶ受像機用リモコン送信器で、ボタン操作により制御信号を送信する機能を持っている。６はＴＶ受像機用リモコン送信器からのリモコン制御信号を受信する受信ユニットとしてのリモコン信号受信器で、４のＴＶ受像機用リモコン送信器から送られるリモコン信号を受信復調して出力する。【０００９】  ７は信号処理部で、リモコン信号受信器からの復調信号をマイコンで処理して、該有線放送受信機の電源の入り切り操作、放送チャンネルの選択、音量の調整等を行う信号を出力する。８はＴＶ受像機用リモコン送信器の型式をあらかじめ設定しておく必要がある場合に設定するリモコン形式設定スイッチである。６のリモコン信号受信器からの出力信号を、３の操作スイッチからの信号と並列接続して４のＴＶ受像機用のリモコン送信器から送られる操作信号により、１の屋内有線放送受信機を制御し電源の入り切り操作、放送チャンネルの選択、音量の調整等を行う。【００１０】  次に、本発明の使用について説明する。
まず、使用前に屋内有線放送受信機側の準備を行う。リモコン形式設定スイッチを操作して、使用するＴＶ受像機用リモコンと前述の有線放送受信機とのマッチングを行う。
このマッチングにてＴＶリモコンに対し有線放送受信機が正しく反応するようになる。
以上で準備は終わり、このＴＶリモコンを該有線放送受信機に向けてボタン（スイッチ）操作にて、この有線放送受信機のコントロールができる。すなわち、チャンネル切りかえ、音量調整、ＯＮとＯＦＦの選択ができる。
図３は他の実施形態における動作ブロック構成図で、前例における信号処理部を屋内有線放送受信機に内蔵一体としたもので、機能は前例と同様である。【００１１】  以上、記してきた屋内有線放送受信機とは、例えばＦＭラジオ等を示すものである。
一般のラジオはケース内にアンテナを内蔵し、このアンテナにて空中から電波を受信し、音声を発生させるものである。しかし、周囲の状況例えば鉄筋コンクリート等の建物内では電波が微弱となって受信不能となる場合がある。これを防ぐために本発明では有線方式としたのである。すなわち、建物外に立てたＴＶアンテナおよびＦＭアンテナで受信した電波信号をケーブルにて室内に導き、分波器にてラジオ用の信号を取りだし、コードにてラジオに導き、音声を発生させる方式を用いたのである。【００１２】  そのため、ラジオはおおむね室内所定位置に置くことになり、ラジオ操作を行うときに、ラジオの近くに行ってスイッチを押す等の操作が必要となる。このようなとき、入院患者等では難儀で面倒なこととなるが、本発明では、ＴＶリモコンをＴＶとラジオの共用として用いることができるので、ベッド上からラジオの操作が可能となって、その利便性は著しく向上し、また、１個のリモコンで済むのである。【００１３】  以上、本発明について記したが、本発明は屋内有線放送受信機における直接スイッチ操作を、ＴＶリモコン送信器による遠隔操作に変えることを可能にした発明であり、操作の利便性を著しく向上させることができる。一般にＴＶリモコンは赤外線を用いており、以下の順にて作用する。すなわち、ＴＶリモコンのボタンを押すと、ボタンに対応した信号パターンが出力され、これが赤外線発光ダイオードに送られて発光し、ＴＶ側が受光してこの信号パターンに一致するコードが呼び出され、これがチャンネル選択回路に送られてチャンネルが切り替わる仕組みとなっている。【００１４】  本発明における受光システムも同様であるが、メーカーによってリモコン形式が異なるために、前述のリモコン形式設定スイッチを設けて、この設定スイッチ操作にて、使用するリモコンと該有線放送受信機およびＴＶの双方の遠隔操作が可能となる。
なお、ＴＶ受像機と屋内有線放送受信機とが隣り合わせに置かれたとき、リモコン操作にて双方機器の電源スイッチが入る恐れがあるため、屋内有線放送受信機の入り切り操作にはＴＶ用に使われていない操作ボタンを用いることが必要である。
以上のごとく、本発明によってラジオ聴取に便利なる手段を得ることができる。
【符号の説明】
【００１５】  １  屋内有線放送受信機
２  リモコン形式設定スイッチ（外部露出部）
３  操作スイッチ
４  ＴＶ受像機用リモコン送信器
５  イヤホーン
６  リモコン信号受信器
７  信号処理部
８  リモコン形式設定スイッチ（内部構成）
９  屋内有線放送受信機（信号処理部一体型）
【図１】
2019161627.tif 000003
【図２】
2019161627.tif 000004
【図３】
2019161627.tif 000005
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
ラジオ放送を受信するための屋内有線放送受信機と、該受信機外面に装備される該受信機操作のための操作スイッチと、別に用意したＴＶ受像機用リモコンから発した信号を受信するためのリモコン信号受信器と、このリモコン信号受信器からの信号を処理するための信号処理部と、ＴＶ受像機用リモコン送信器の形式をあらかじめ設定しておくためのリモコン形式設定スイッチと、ＴＶ受像機用リモコンにおける屋内有線放送受信機用の電源入り切り操作ボタンを、ＴＶ用に使われていない操作ボタンに前記信号処理部にて設定し、以上の各部を各々備えることを特徴とするＴＶ受像機操作用リモコンを利用した屋内有線放送受信機の遠隔操作装置。
【手続補正３】
【補正対象書類名】明細書
【補正対象項目名】０００１
【補正方法】変更
【補正の内容】
【０００１】  この発明は、屋内有線放送受信機の遠隔操作に、ＴＶ受像機用リモコン送信器を利用した屋内有線放送受信機の遠隔操作装置に関する。
【手続補正４】
【補正対象書類名】明細書
【補正対象項目名】０００４
【補正方法】変更
【補正の内容】
【０００４】  課題を解決する手段として本発明は以下の構成とした。
すなわち、
ラジオ放送を受信するための屋内有線放送受信機と、該受信機外面に装備される該受信機操作のための操作スイッチと、別に用意したＴＶ受像機用リモコンから発した信号を受信するためのリモコン信号受信器と、このリモコン信号受信器からの信号を処理するための信号処理部と、ＴＶ受像機用リモコン送信器の形式をあらかじめ設定しておくためのリモコン形式設定スイッチと、ＴＶ受像機用リモコンにおける屋内有線放送受信機用の電源入り切り操作ボタンを、ＴＶ用に使われていない操作ボタンに前記信号処理部にて設定し、以上の各部を各々備える。
本発明は以上の構成よりなる、ＴＶ受像機用リモコン送信器を利用した屋内有線放送受信機の遠隔操作装置である。